(57)【要約】【課題】部品点数が増加するのを抑制しながら、防水・防塵構造を構成することが可能なインバータ装置を提供する。【解決手段】このインバータ装置１００は、電力変換素子１１を含む電力変換回路１０と、電力変換回路１０を冷却する冷却部２０と、冷却部２０を覆うように設けられ、冷却部２０の電力変換回路１０側を露出させる開口部５３が設けられる後側筐体５０とを備える。そして、後側筐体５０の開口部５３の周縁部５４近傍には、冷却部２０に当接する周状のリブ部５５が設けられている。【選択図】図６
2018160962.tif 000002
【特許請求の範囲】
【請求項１】
電力変換素子を含む発熱部と、
前記発熱部を冷却する冷却部と、
前記冷却部を覆うように設けられ、前記冷却部の前記発熱部側を露出させる開口部が設けられる冷却部側筐体とを備え、
前記冷却部側筐体の前記開口部の周縁部近傍には、前記冷却部に当接する周状のリブ部が設けられている、インバータ装置。
【請求項２】
前記リブ部は、前記冷却部側筐体の前記開口部の周縁部近傍から前記冷却部側に突出する第１リブ部と、前記第１リブ部の外周側に設けられ、前記開口部の周縁部近傍から前記冷却部側に突出する第２リブ部とを含む、請求項１に記載のインバータ装置。
【請求項３】
前記冷却部側筐体の前記第１リブ部および前記第２リブ部と、前記冷却部とに囲まれた空間により、流体が流れる流路が構成されており、
インバータ装置本体が設置された状態における、周状の前記第２リブ部の少なくとも底部に対応する部分には、前記流体の出入り口となる穴部が設けられている、請求項２に記載のインバータ装置。
【請求項４】
前記インバータ装置本体が設置された状態における、周状の前記第２リブ部の前記底部に対応する部分と頂部に対応する部分とには、前記穴部が設けられている、請求項３に記載のインバータ装置。
【請求項５】
前記冷却部側筐体を前記冷却部に固定するための締結部材をさらに備え、
前記締結部材が、前記第１リブ部の外周側において、前記冷却部側筐体および前記冷却部に締結されることにより、前記第１リブ部および前記第２リブ部が前記冷却部に押圧される、請求項２〜４のいずれか１項に記載のインバータ装置。
【請求項６】
前記第１リブ部の前記冷却部側への突出長さは、前記第２リブ部の前記冷却部側への突出長さ以上である、請求項５に記載のインバータ装置。
【請求項７】
前記冷却部側筐体の前記開口部の周縁部近傍から前記冷却部側とは反対側に突出するように設けられる補強リブ部をさらに備える、請求項１〜６のいずれか１項に記載のインバータ装置。
【請求項８】
インバータ装置本体が設置された状態で、前記冷却部の天面側を覆うように、前記リブ部の外周側において、前記冷却部側筐体の前記開口部の周縁部近傍から前記冷却部側に突出する壁部をさらに備える、請求項１〜７のいずれか１項に記載のインバータ装置。
【請求項９】
前記冷却部は、前記発熱部が載置される板状部分と、前記板状部分から延びるフィン部分とを含み、
前記壁部は、前記フィン部分の天面側を覆わずに、前記板状部分の天面側を覆うように設けられている、請求項８に記載のインバータ装置。
【発明の詳細な説明】
【技術分野】
【０００１】
この発明は、インバータ装置に関し、特に、冷却部を覆う冷却部側筐体を備えるインバータ装置に関する。
【背景技術】
【０００２】
従来、冷却部を覆う冷却部側筐体を備えるインバータ装置が知られている（たとえば、特許文献１参照）。
【０００３】
上記特許文献１には、冷却部を覆う冷却部側筐体を備える屋外設置機器が開示されている。この屋外設置機器では、発熱体である半導体部品を冷却するヒートシンクが設けられている。ヒートシンクは、平板状のベース板と、ベース板に設けられた放熱フィンとを含む。そして、ベース板の放熱フィンが設けられる側とは反対側の表面（上面）に、半導体部品が載置されている。
【０００４】
また、ベース板の半導体部品が載置されている側の表面を覆うように、箱状の筐体が設けられている。具体的には、箱状の筐体の開口部を覆うように平板状のベース板が配置される。これにより、筐体とベース板の表面との間に囲まれた空間に半導体部品が配置される。そして、筐体とベース板との間には、筐体の開口部の形状（略矩形形状）に対応する枠状の封止部材（シール材）が設けられている。封止部材は、筐体とは別に設けられている。また、封止部材は、たとえば、ブチルゴムからなる。これにより、筐体とベース板の表面との間に囲まれた空間が封止されている。その結果、筐体とベース板の表面との間の隙間から、筐体の内部に粉塵等が入り込むことが防止される。
【先行技術文献】
【特許文献】
【０００５】
【特許文献１】特開２０１３−２５１３２８号公報
【発明の概要】
【発明が解決しようとする課題】
【０００６】
しかしながら、上記特許文献１に記載された屋外設置機器では、筐体とベース板の表面との間の隙間から筐体の内部に粉塵等が入り込むことを防止するために、筐体とは別に封止部材が設けられている。このため、封止部材が設けられている分、部品点数が増加するという問題点がある。
【０００７】
この発明は、上記のような課題を解決するためになされたものであり、この発明の１つの目的は、部品点数が増加するのを抑制しながら、防水・防塵構造を構成することが可能なインバータ装置を提供することである。
【課題を解決するための手段】
【０００８】
上記目的を達成するために、この発明の一の局面によるインバータ装置は、電力変換素子を含む発熱部と、発熱部を冷却する冷却部と、冷却部を覆うように設けられ、冷却部の発熱部側を露出させる開口部が設けられる冷却部側筐体とを備え、冷却部側筐体の開口部の周縁部近傍には、冷却部に当接する周状のリブ部が設けられている。
【０００９】
この発明の一の局面によるインバータ装置では、上記のように、冷却部側筐体の開口部の周縁部近傍に、冷却部に当接する周状のリブ部を設ける。これにより、冷却部側筐体の開口部から発熱部（または、発熱部から冷却部側筐体側）への水や塵の侵入が、冷却部側筐体に設けられる周状のリブ部により防止される。その結果、防水・防塵構造を構成するためのシール材のような部品を冷却部側筐体とは別に設ける必要がない。これにより、部品点数が増加するのを抑制しながら、防水・防塵構造を構成することができる。また、冷却部側筐体の冷却部側の面ではなくリブ部により防水・防塵構造を構成することによって、リブ部の冷却部に当接する部分の面積が比較的小さいので、冷却部からの熱が冷却部側筐体に伝達するのを抑制することができる。
【００１０】
また、部品点数（部品の種類）が増加した場合、既存の部品の耐熱性や寿命に加えて、増加した部品の耐熱性や寿命なども考慮しながらインバータ装置を設計する必要がある。すなわち、部品点数が増加するのを抑制することによって、インバータ装置の設計が複雑になるのを抑制することができる。
【００１１】
上記一の局面によるインバータ装置において、好ましくは、リブ部は、冷却部側筐体の開口部の周縁部近傍から冷却部側に突出する第１リブ部と、第１リブ部の外周側に設けられ、開口部の周縁部近傍から冷却部側に突出する第２リブ部とを含む。このように構成すれば、リブ部が二重に設けられているので、冷却部側筐体の開口部から発熱部に水や塵が侵入することを、より効果的に防止することができる。
【００１２】
この場合、好ましくは、冷却部側筐体の第１リブ部および第２リブ部と、冷却部とに囲まれた空間により、流体が流れる流路が構成されており、インバータ装置本体が設置された状態における、周状の第２リブ部の少なくとも底部に対応する部分には、流体の出入り口となる穴部が設けられている。このように構成すれば、流路を流れる流体（水など）が、底部に対応する部分に設けられた穴部から、流路の外に排出される。これにより、流路内に流体（水など）が溜まるのを抑制することができる。
【００１３】
この場合、好ましくは、インバータ装置本体が設置された状態における、周状の第２リブ部の底部に対応する部分と頂部に対応する部分とには、穴部が設けられている。このように構成すれば、下方から上方に移動する流体（冷却用の空気など）が、底部に対応する部分に設けられた穴部から流入し、流路を介して、頂部に対応する部分に設けられた穴部から流出する。すなわち、下方から上方に移動する流体（冷却用の空気など）が滞ることなく移動するので、冷却部による冷却効率が低下するのを抑制することができる。
【００１４】
上記第１リブ部および第２リブ部が設けられるインバータ装置において、好ましくは、冷却部側筐体を冷却部に固定するための締結部材をさらに備え、締結部材が、第１リブ部の外周側において、冷却部側筐体および冷却部に締結されることにより、第１リブ部および第２リブ部が冷却部に押圧される。このように構成すれば、締結部材の締結力により、第１リブ部および第２リブ部が冷却部に強く押圧された状態で当接する。これにより、第１リブ部および第２リブ部と、冷却部との間に隙間が生じることが抑制される。その結果、冷却部側筐体の開口部から発熱部側に水や塵が侵入することをさらに抑制することができる。
【００１５】
この場合、好ましくは、第１リブ部の冷却部側への突出長さは、第２リブ部の冷却部側への突出長さ以上である。ここで、第１リブ部の外周側において締結部材により冷却部側筐体と冷却部とを締結した場合、締結部材の締結力により、第１リブ部および第２リブ部が設けられる冷却部側筐体の開口部の周縁部が冷却部側に窪むように撓む場合がある。この場合、第１リブ部が冷却部から離間するように浮き上がる場合がある。このため、第１リブ部の冷却部側への突出長さを、第２リブ部の冷却部側への突出長さよりも大きくすることにより、第１リブ部が冷却部から離間するのを抑制することができる。その結果、第１リブ部と冷却部との間の隙間から、水や塵が侵入することを抑制することができる。また、第１リブ部が冷却部から離間しない場合（浮き上がらない場合）、第１リブ部の冷却部側への突出長さと、第２リブ部の冷却部側への突出長さとは等しくてもよい。この場合でも、第１リブ部と冷却部との間の隙間から、水や塵が侵入することを抑制することができる。
【００１６】
上記一の局面によるインバータ装置において、好ましくは、冷却部側筐体の開口部の周縁部近傍から冷却部側とは反対側に突出するように設けられる補強リブ部をさらに備える。このように構成すれば、リブ部の近傍の冷却部側筐体の部分の強度が補強リブ部により高められるので、リブ部の近傍の冷却部側筐体の部分の変形が抑制される。これにより、リブ部の近傍の冷却部側筐体の部分が変形すること起因して、リブ部と冷却部との間に隙間が生じることが抑制される。その結果、冷却部側筐体の開口部から発熱部側に水や塵が侵入することをさらに抑制することができる。
【００１７】
上記一の局面によるインバータ装置において、好ましくは、インバータ装置本体が設置された状態で、冷却部の天面側を覆うように、リブ部の外周側において、冷却部側筐体の開口部の周縁部近傍から冷却部側に突出する壁部をさらに備える。このように構成すれば、天面側から落下する水が、冷却部に直接滴下されるのを壁部により抑制することができる。
【００１８】
この場合、好ましくは、冷却部は、発熱部が載置される板状部分と、板状部分から延びるフィン部分とを含み、壁部は、フィン部分の天面側を覆わずに、板状部分の天面側を覆うように設けられている。このように構成すれば、フィン部分は壁部に覆われないので、フィン部分に当たる（フィン部分の間を通過する）冷却用の空気の流れが、壁部により遮られることを防止することができる。
【発明の効果】
【００１９】
本発明によれば、上記のように、部品点数が増加するのを抑制しながら、防水・防塵構造を構成することができる。
【図面の簡単な説明】
【００２０】
【図１】本発明の一実施形態によるインバータ装置の斜視図である。
【図２】本発明の一実施形態によるインバータ装置の側面図である。
【図３】本発明の一実施形態によるインバータ装置の後側筐体側の斜視図である。
【図４】本発明の一実施形態によるインバータ装置の後側筐体側の分解斜視図である。
【図５】本発明の一実施形態によるインバータ装置の後側筐体をＸ２方向側から見た斜視図である。
【図６】本発明の一実施形態によるインバータ装置の後側筐体をＸ２方向側から見た平面図である。
【図７】図５の部分拡大図である。
【図８】図６の３００−３００線に沿った断面図である。
【図９】図６の４００−４００線に沿った断面図である。
【図１０】後側筐体の周縁部が撓んだ状態を示す図である。
【図１１】図６の５００−５００線に沿った断面図である。
【発明を実施するための形態】
【００２１】
以下、本発明を具体化した実施形態を図面に基づいて説明する。
【００２２】
［本実施形態］
図１〜図１１を参照して、本実施形態によるインバータ装置１００の構成について説明する。インバータ装置１００は、入力された交流の電力を設定された交流の電力に変換して出力するように構成されている。
【００２３】
（インバータ装置の全体構成）
図１および図２に示すように、インバータ装置１００は、電力変換の際に熱が生じる電力変換素子１１を含む電力変換回路１０と、電力変換回路１０を冷却する冷却部２０と、電力変換回路１０と冷却部２０とを収納する筐体３０と、筐体３０の内部の空気を排気するファン１２（図３参照）とを備える。なお、電力変換回路１０は、特許請求の範囲の「発熱部」の一例である。
【００２４】
図２に示すように、筐体３０は、電力盤２００の内側に配置される前側筐体４０と、電力盤２００の外側に配置される後側筐体５０とを含む。前側筐体４０および後側筐体５０は、共に、樹脂などにより形成されている。また、インバータ装置１００は、筐体３０の長手方向がＺ方向（上下方向）に沿うように、電力盤２００に配置される。なお、後側筐体５０は、特許請求の範囲の「冷却部側筐体」の一例である。
【００２５】
前側筐体４０は、電力変換素子１１を含む電力変換回路１０を覆うように設けられている。また、前側筐体４０の前面４０ａには、操作部４１（図１参照）が設けられている。また、前側筐体４０の側面４０ｂには、通気孔部４２が設けられている。
【００２６】
図４に示すように、後側筐体５０は、冷却部２０、コンデンサ１３およびファン１２を覆うように設けられている。冷却部２０、コンデンサ１３およびファン１２は、後面部５１の表面上に設けられている。後側筐体５０と後面部５１との間の空間に、冷却部２０、コンデンサ１３およびファン１２が配置されている。また、ファン１２、コンデンサ１３および冷却部２０は、下方から上方に（Ｚ方向に沿って）、この順で配置されている。また、後側筐体５０の側面５０ａおよび天面５０ｂには、通気孔部５２が設けられている。これにより、ファン１２により下方から取り込まれた冷却用の空気が、コンデンサ１３および冷却部２０（後述するフィン部分２２）を介して、通気孔部５２から流出する。その結果、冷却部２０を介して発熱した電力変換回路１０の冷却が行われる。
【００２７】
また、図４に示すように、冷却部２０は、電力変換回路１０が載置される板状部分２１と、板状部分２１から延びるフィン部分２２とを含む。板状部分２１は、インバータ装置１００の前面側（Ｘ１方向側）に配置されている。フィン部分２２は、インバータ装置１００の後面側（Ｘ２方向側）に延びるように設けられている。
【００２８】
（後側筐体の構成）
次に、図５〜図１１を参照して、後側筐体５０の構成について説明する。なお、図５では、後側筐体５０のＹ１方向側の側面は、取り除かれている。
【００２９】
図５および図６に示すように、後側筐体５０には、冷却部２０の電力変換回路１０側を露出させる開口部５３が設けられている。具体的には、開口部５３は、平面視において、略矩形形状を有する。また、図６に示すように、開口部５３は、平面視において、冷却部２０（図６の点線参照）の電力変換回路１０側（板状部分２１）の外縁部近傍は露出させずに中央部側を露出させる。
【００３０】
ここで、本実施形態では、図６に示すように、後側筐体５０の開口部５３の周縁部５４近傍には、冷却部２０に当接する周状のリブ部５５が設けられている。そして、リブ部５５により防水・防塵構造が構成されている。なお、周縁部５４とは、開口部５３を周状に取り囲む枠状の後側筐体５０の一部分を意味する。また、リブ部５５は、後側筐体５０に一体的に設けられている。つまり、後側筐体５０とリブ部５５とは、同一の材料により構成されている。
【００３１】
具体的には、本実施形態では、リブ部５５は、後側筐体５０の開口部５３の周縁部５４近傍から冷却部２０側（Ｘ２方向側）に突出する第１リブ部５５ａと、第１リブ部５５ａの外周側に設けられ、開口部５３の周縁部５４近傍から冷却部２０側（Ｘ２方向側）に突出する第２リブ部５５ｂとを含む。
【００３２】
第１リブ部５５ａは、開口部５３の縁部に沿って周状に設けられている。すなわち、第１リブ部５５ａは、Ｘ２方向側から見て、枠形状（額縁形状）を有する。また、第１リブ部５５ａは、冷却部２０の板状部分２１の表面に沿った方向（Ｚ方向）に対して垂直に（Ｘ方向に）延びるように設けられている。また、第１リブ部５５ａの冷却部２０側への突出長さＬ１（図８参照）は、第１リブ部５５ａのいずれの部分においても略同じである。また、枠形状の第１リブ部５５ａは、切れ目なく（途切れることなく）、開口部５３の縁部に沿って周状に設けられている。
【００３３】
また、第２リブ部５５ｂは、開口部５３の縁部よりも外側に、第１リブ部５５ａから離間して配置されている。また、第２リブ部５５ｂは、冷却部２０の板状部分２１の表面に沿った方向（Ｚ方向）に対して垂直に（Ｘ方向に）延びるように設けられている。また、第２リブ部５５ｂの冷却部２０側への突出長さＬ２（図８参照）は、第２リブ部５５ｂのいずれの部分においても略同じである。
【００３４】
そして、本実施形態では、図８に示すように、後側筐体５０の第１リブ部５５ａおよび第２リブ部５５ｂと、冷却部２０とに囲まれた空間により、流体（水、冷却用の空気など）が流れる流路５６が構成されている。すなわち、第１リブ部５５ａおよび第２リブ部５５ｂが共に、冷却部２０の板状部分２１に当接する。これにより、第１リブ部５５ａ、第２リブ部５５ｂおよび板状部分２１によって、断面が略矩形形状の流路５６が構成される。
【００３５】
そして、図６に示すように、インバータ装置本体１００ａが設置された状態（電力盤２００に設置された状他、図１および図２参照）における、周状の第２リブ部５５ｂの少なくとも底部５５１ｂに対応する部分には、流体の出入り口となる穴部５７が設けられている。なお、本実施形態では、穴部５７は、インバータ装置本体１００ａが設置された状態における、周状の第２リブ部５５ｂの底部５５１ｂに穴部５７ａが設けられるとともに、頂部５５２ｂに対応する部分に穴部５７ｂが設けられている。すなわち、周状の第２リブ部５５ｂは、途切れた状態で、開口部５３の周縁部５４に周状に設けられている。また、穴部５７ａおよび穴部５７ｂは、それぞれ、２つずつ設けられている。また、穴部５７ａのＹ方向における配置位置（Ｙ座標）と、穴部５７ｂのＹ方向における配置位置（Ｙ座標）とは、略等しい。
【００３６】
また、図７に示すように、また、第２リブ部５５ｂの穴部５７ｂに対応する部分は、Ｚ１方向側に延びるように形成されている。また、第２リブ部５５ｂの穴部５７ａに対応する部分も同様に、Ｚ２方向側に延びるように形成（図６参照）されている。これにより、穴部５７ａのＺ２方向側に延びる部分と、穴部５７ｂのＺ１方向側に延びる部分とによって、流路５６に流入する（流路５６から流出する）流体が案内される。
【００３７】
また、第１リブ部５５ａおよび第２リブ部５５ｂに囲まれた流路５６に連通するように、穴部５７からＺ１方向側（Ｚ２方向側）に延びる溝部５８が形成されている。この溝部５８によっても、流体が案内される。
【００３８】
また、本実施形態では、図９に示すように、後側筐体５０を冷却部２０に固定するためのネジ部材７０が設けられている。そして、ネジ部材７０が、第１リブ部５５ａの外周側において、後側筐体５０および冷却部２０に締結されることにより、第１リブ部５５ａおよび第２リブ部５５ｂが冷却部２０に押圧（図８参照）される。具体的には、第２リブ部５５ｂにネジ部材７０が貫通する貫通穴部５９が設けられている。貫通穴部５９は、複数（８個、図６参照）設けられている。そして、ネジ部材７０が貫通穴部５９を介して冷却部２０に締結（螺合）されることにより、後側筐体５０が冷却部２０に固定される。なお、ネジ部材７０は、特許請求の範囲の「締結部材」の一例である。
【００３９】
また、図６に示すように、複数の貫通穴部５９は、冷却部２０の板状部分２１の中心Ｃに対して対称（点対称）な位置に配置されている。これにより、ネジ部材７０の後側筐体５０（周縁部５４）に対する締結力が偏る（不均一になる）ことに起因して、第１リブ部５５ａおよび第２リブ部５５ｂが板状部分２１から浮き上がることが抑制される。
【００４０】
また、本実施形態では、図８に示すように、第１リブ部５５ａの冷却部２０側への突出長Ｌ１さは、第２リブ部５５ｂの冷却部２０側への突出長さＬ２以上（本実施形態では、Ｌ１＞Ｌ２）である。ここで、図１０に示すように、貫通穴部５９（図９参照）を介してネジ部材７０により後側筐体５０を冷却部２０に固定した場合、開口部５３の周縁部５４が冷却部２０側に窪むように撓む場合（点線で示された周縁部５４参照）がある。この場合、第１リブ部５５ａが冷却部２０から離間するように浮き上がる場合がある。そこで、第１リブ部５５ａの冷却部２０側への突出長さＬ１を、第２リブ部５５ｂの冷却部２０側への突出長さＬ２よりも大きくすることにより、周縁部５４が撓んでも、第１リブ部５５ａは冷却部２０に当接する。
【００４１】
また、図８に示すように、第１リブ部５５ａの厚みｔ１は略一定である。一方、第２リブ部５５ｂの厚みｔ２は、冷却部２０側に向かって徐々に小さくなる先細り形状を有する。
【００４２】
また、本実施形態では、図６に示すように、後側筐体５０の開口部５３の周縁部５４近傍から冷却部２０側とは反対側に突出するように補強リブ部６０が設けられている。補強リブ部６０は、リブ部５５が設けられる開口部５３の周縁部５４近傍を補強するように構成されている。具体的には、補強リブ部６０は、Ｘ方向側から見て、第２リブ部５５ｂに略直交するように設けられている。また、補強リブ部６０は、Ｘ方向側から見て、補強リブ部６０の一方端が第２リブ部５５ｂにオーバラップするように設けられている。また、補強リブ部６０は、Ｘ方向側から見て、第２リブ部５５ｂ側から第１リブ部５５ａ側に向かって延びるように設けられている。また、補強リブ部６０は、略板形状を有する。また、補強リブ部６０は、複数設けられている。
【００４３】
また、本実施形態では、図６に示すように、リブ部５５の外周側には、後側筐体５０の開口部５３の周縁部５４近傍から冷却部２０側に突出する壁部６１が設けられている。図１１に示すように、壁部６１は、インバータ装置本体１００ａが設置された状態（図１参照）で、冷却部２０の天面側（Ｚ１方向側）を覆うように設けられている。具体的には、壁部６１は、後側筐体５０において、第２リブ部５５ｂの上方側（Ｚ１方向側）に配置されている。また、図６に示すように、Ｘ２方向側からみて、壁部６１は、略Ｕ字形状を有する。これにより、壁部６１は、板状部材の天面２１ａと、天面２１ａに直交する側面２１ｂ（図４参照）の上端部を覆う。また、また、図７に示すように、壁部６１は、第２リブ部５５ｂの穴部５７ｂ近傍の溝部５８に接するように（溝部５８を堰き止めるように）設けられている。
【００４４】
また、本実施形態では、図１１に示すように、壁部６１は、フィン部分２２の天面２２ａ側を覆わずに、板状部分２１の天面２１ａ側を覆うように設けられている。壁部６１の冷却部２０側への突出長さＬ３は、第１リブ部５５ａの突出長さＬ１および第２リブ部５５ｂの突出長さＬ２よりも大きい。
【００４５】
また、図５に示すように、後側筐体５０には、コンデンサ１３が貫通する穴部６２が設けられている。穴部６２は、複数のコンデンサ１３に対応するように複数設けられている。また、コンデンサ１３と後側筐体５０（穴部６２）との間の隙間は、図示しないシール材により封止されている。
【００４６】
（本実施形態の効果）
本実施形態では、以下のような効果を得ることができる。
【００４７】
本実施形態では、上記のように、後側筐体５０の開口部５３の周縁部５４近傍に、冷却部２０に当接する周状のリブ部５５を設ける。これにより、後側筐体５０の開口部５３から電力変換回路１０（または、電力変換回路１０から後側筐体５０側）への水や塵の侵入が、後側筐体５０に設けられる周状のリブ部５５により防止される。その結果、防水・防塵構造を構成するためのシール材のような部品を後側筐体５０とは別に必要がない。これにより、部品点数が増加するのを抑制しながら、防水・防塵構造を構成することができる。また、後側筐体５０の冷却部２０側の面ではなくリブ部５５により防水・防塵構造を構成することによって、リブ部５５の冷却部２０に当接する部分の面積が比較的小さいので、冷却部２０からの熱が後側筐体５０に伝達するのを抑制することができる。
【００４８】
また、部品点数（部品の種類）が増加した場合、既存の部品の耐熱性や寿命に加えて、増加した部品の耐熱性や寿命なども考慮しながらインバータ装置１００を設計する必要がある。すなわち、部品点数が増加するのを抑制することによって、インバータ装置１００の設計が複雑になるのを抑制することができる。
【００４９】
また、本実施形態では、上記のように、後側筐体５０の開口部５３の周縁部５４近傍から冷却部２０側に突出する第１リブ部５５ａと、第１リブ部５５ａの外周側に設けられ、開口部５３の周縁部５４近傍から冷却部２０側に突出する第２リブ部５５ｂとを設ける。これにより、リブ部５５が二重に設けられているので、後側筐体５０の開口部５３から電力変換回路１０に水や塵が侵入することを、より効果的に防止することができる。
【００５０】
また、本実施形態では、上記のように、インバータ装置本体１００ａが設置された状態における、周状の第２リブ部５５ｂの少なくとも底部５５１ｂに対応する部分に、流体の出入り口となる穴部５７を設ける。これにより、流路５６を流れる流体（水など）が、底部５５１ｂに対応する部分に設けられた穴部５７から、流路５６の外に排出される。これにより、流路５６内に流体（水など）が溜まるのを抑制することができる。
【００５１】
また、本実施形態では、上記のように、インバータ装置本体１００ａが設置された状態における、周状の第２リブ部５５ｂの底部５５１ｂと頂部５５２ｂに対応する部分に、穴部５７（穴部５７ａ、穴部５７ｂ）を設ける。これにより、下方から上方に移動する流体（冷却用の空気など）が、底部５５１ｂに対応する部分に設けられた穴部５７ａから流入し、流路５６を介して、頂部５５２ｂに対応する部分に設けられた穴部５７ｂから流出する。すなわち、下方から上方に移動する流体（冷却用の空気など）が滞ることなく移動するので、冷却部２０による冷却効率が低下するのを抑制することができる。
【００５２】
また、本実施形態では、上記のように、ネジ部材７０を、第１リブ部５５ａの外周側において、後側筐体５０および冷却部２０に締結することにより、第１リブ部５５ａおよび第２リブ部５５ｂを冷却部２０に押圧する。これにより、ネジ部材７０の締結力により、第１リブ部５５ａおよび第２リブ部５５ｂが冷却部２０に強く押圧された状態で当接する。その結果、第１リブ部５５ａおよび第２リブ部５５ｂと、冷却部２０との間に隙間が生じることが抑制される。これにより、後側筐体５０の開口部５３から電力変換回路１０側に水や塵が侵入することをさらに抑制することができる。
【００５３】
また、本実施形態では、上記のように、第１リブ部５５ａの冷却部２０側への突出長さＬ１は、第２リブ部５５ｂの冷却部２０側への突出長さＬ２よりも大きい。これにより、ネジ部材７０の締結力により、第１リブ部５５ａが冷却部２０から離間するように浮き上がる場合でも、第１リブ部５５ａが冷却部２０から離間するのを抑制することができる。その結果、第１リブ部５５ａと冷却部２０との間の隙間から、水や塵が侵入することを抑制することができる。
【００５４】
また、本実施形態では、上記のように、後側筐体５０の開口部５３の周縁部５４近傍から冷却部２０側とは反対側に突出するように補強リブ部６０を設ける。これにより、リブ部５５の近傍の後側筐体５０の部分の強度が補強リブ部６０により高められるので、リブ部５５の近傍の後側筐体５０の部分の変形が抑制される。その結果、リブ部５５の近傍の後側筐体５０の部分が変形すること起因して、リブ部５５と冷却部２０との間に隙間が生じることが抑制される。その結果、後側筐体５０の開口部５３から電力変換回路１０側に水や塵が侵入することをさらに抑制することができる。
【００５５】
また、本実施形態では、上記のように、インバータ装置本体１００ａが設置された状態で、冷却部２０の天面側を覆うように、リブ部５５の外周側において、後側筐体５０の開口部５３の周縁部５４近傍から冷却部２０側に突出する壁部６１を設ける。これにより、天面側から落下する水が、冷却部２０に直接滴下されるのを壁部６１により抑制することができる。
【００５６】
また、本実施形態では、上記のように、壁部６１を、フィン部分２２の天面２２ａ側を覆わずに、板状部分２１の天面２１ａ側を覆うように設ける。これにより、フィン部分２２は壁部６１に覆われないので、フィン部分２２に当たる（フィン部分２２の間を通過する）冷却用の空気の流れが、壁部６１により遮られることを防止することができる。
【００５７】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５８】
たとえば、上記実施形態では、リブ部５５が、２つ（第１リブ部５５ａ、第２リブ部５５ｂ）設けられている例について示したが、本発明はこれに限られない。たとえば、リブ部５５は、１つでもよいし、３つ以上設けられていてもよい。
【００５９】
また、上記実施形態では、第２リブ部５５ｂの頂部５５２ｂと底部５５１ｂとの両方に穴部５７が設けられている例について示したが、本発明はこれに限られない。たとえば、第２リブ部５５ｂの底部５５１ｂに対応する部分の穴部５７ａのみが設けられていてもよい。
【００６０】
また、上記実施形態では、ネジ部材７０により、後側筐体５０を冷却部２０に固定する例について示したが、本発明はこれに限られない。たとえば、ネジ部材７０以外の締結部材により、後側筐体５０を冷却部２０に固定してもよい。
【００６１】
また、上記実施形態では、平面視において、補強リブ部６０が第２リブ部５５ｂにのみオーバラップするように設けられている例について示したが、本発明はこれに限られない。たとえば、補強リブ部６０を、第１リブ部５５ａと第２リブ部５５ｂとの両方にオーバラップするように設けてもよい。
【００６２】
また、上記実施形態では、Ｘ２方向側から見て、壁部６１が、略Ｕ字形状を有する例について示したが、本発明はこれに限られない。たとえば、Ｘ２方向側から見て、壁部６１が、略直線形状を有していてもよい。
【００６３】
また、上記実施形態では、第１リブ部５５ａの冷却部２０側への突出長さＬ１が、第２リブ部５５ｂの冷却部２０側への突出長さＬ２よりも大きい例について示したが、本発明はこれに限られない。たとえば、ネジ部材７０の締結力によっても、第１リブ部５５ａが冷却部２０から離間しない場合（浮き上がらない場合）、第１リブ部５５ａの冷却部２０側への突出長さＬ１と、第２リブ部５５ｂの冷却部２０側への突出長さＬ２とを等しくてもよい。この場合でも、第１リブ部５５ａと冷却部２０との間の隙間から、水や塵が侵入することを抑制することができる。
【符号の説明】
【００６４】
１０  電力変換回路（発熱部）
１１  電力変換素子
２０  冷却部
２１  板状部分
２１ａ  （板状部分の）天面
２２  フィン部分
２２ａ  （フィン部分の）天面
５０  後側筐体（冷却部側筐体）
５３  開口部
５４  周縁部
５５  リブ部
５５ａ  第１リブ部
５５ｂ  第２リブ部
５６  流路
５７、５７ａ、５７ｂ  穴部
６０  補強リブ部
６１  壁部
７０  ネジ部材（締結部材）
１００  インバータ装置
１００ａ  インバータ装置本体
５５１ｂ  底部
５５２ｂ  頂部
【図１】
2018160962.tif 000003
【図２】
2018160962.tif 000004
【図３】
2018160962.tif 000005
【図４】
2018160962.tif 000006
【図５】
2018160962.tif 000007
【図６】
2018160962.tif 000008
【図７】
2018160962.tif 000009
【図８】
2018160962.tif 000010
【図９】
2018160962.tif 000011
【図１０】
2018160962.tif 000012
【図１１】
2018160962.tif 000013